(57)【要約】      （修正有）【課題】屋外等の風の影響を受ける場所で使い捨て等の軽量の紙やプラスチックのコップや皿、箸等のカトラリー、スナック菓子の袋等を使用した場合、風が吹くと飛ばされてしまいやすい点と、バーベキュー、パーティー等のイベントで複数の人がどれが誰の物であるのかを判別する事が難しかった点を改善する。【解決手段】上面に粘着性を有する素材２を配置する事によって載せた物を粘着剤で固定するだけでなく、テーブル等の上で滑りにくい素材とする事で、風や不意の行動等の外部からの力によって転倒する事を防止する事、コップ４を置いた際には箸５等のカトラリー置きと一体物として使用できる事、色は単色もしくはデザインされた模様や絵柄等で構成する事で色、模様、絵柄等で見た目を区別できるだけでなく、切断する事により、色、模様、絵柄等と形状の組み合わせにより、より多くの種類にできる事により載せた物が他人の物と見分けられる様にする。【選択図】図１
2015221116.tif 000002
【特許請求の範囲】
【請求項１】
使い捨て等の軽量のコップ、皿、箸等のカトラリー、スナック菓子の袋等を風や不意の行動等の外部からの力によって転倒する事を防止する事、コップを置いた際には箸等のカトラリー置きと一体物として使用できる事、載せた物が他人の物と見分けられる事を目的とするコースター。
【発明の詳細な説明】
【技術分野】
【０００１】
本発明は、使い捨て等の軽量のコップ、皿、箸等のカトラリー、スナック菓子の袋等を風や不意の行動等の外部からの力によって転倒又は移動する事を防止する事、コップを置いた際には箸等のカトラリー置きと一体物として使用できる事、載せた物が他人の物と見分けられる事を目的とするコースターに関するものである。
【背景技術】
【０００２】
屋外等の風の影響を受ける場所で使い捨て等の軽量の紙やプラスチックのコップや皿、箸等のカトラリー、スナック菓子の袋等を使用した場合、載せた物の重量が軽い為に風が吹くと飛ばされてしまいやすかった。
また、バーベキュー、パーティー等のイベントで複数の人が使い捨て等の同じ形状の紙やプラスチックの皿やコップ、箸等のカトラリー等を使用した場合、どれが誰の物であるのかを判別する事が難しかった。
【発明の概要】
【発明が解決しようとする課題】
【０００３】
解決しようとする問題点は、屋外等の風の影響を受ける場所で使い捨て等の軽量の紙やプラスチックのコップや皿、箸等のカトラリー、スナック菓子の袋等を使用した場合、載せた物の重量が軽い為に風が吹くと飛ばされてしまいやすい点と、バーベキュー、パーティー等のイベントで複数の人が使い捨て等の同じ形状の紙やプラスチックの皿やコップ、箸等のカトラリー等を使用した場合、どれが誰の物であるのかを判別する事が難しかった点である。
【課題を解決するための手段】
【０００４】
本発明品の上面に粘着性を有する素材を配置する事によって載せた物を粘着剤で固定するだけでなく、本発明品自体の重さとテーブル等の上で滑りにくい素材とする事で、風や不意の行動等の外部からの力によって転倒又は移動する事を防止する事、コップを置いた際には箸等のカトラリー置きと一体物として使用できる事、本発明品の色は単色もしくはデザインされた模様や絵柄等で構成する事で色、模様、絵柄等で見た目を区別できるだけでなく、本発明品の一部を切断する事により、色、模様、絵柄等と形状の組み合わせにより、より多くの種類にできる事により載せた物が他人の物と見分けられる様にする事を最も主要な特徴とする。
【発明の効果】
【０００５】
本発明品の上面に粘着性を有する素材を配置する事によって、載せた物を粘着剤で固定するだけでなく、本発明品自体がテーブル等の上で滑りにくい素材とする事で、風や不意の行動等の外部からの力によって転倒又は移動する事を防止でき、コップを置いた際には箸等のカトラリー置きと一体物として使用でき、本発明品の色は単色もしくはデザインされた模様や絵柄等で構成する事で色、模様、絵柄等で見た目を区別できるだけでなく、本発明品の一部を切断する事により、色、模様、絵柄等と形状の組み合わせにより、より多くの種類にできる事により載せた物が他人の物と見分けられる様になるという利点がある。
【図面の簡単な説明】
【０００６】
【図１】本発明品の立体図にコップ及び箸を置いた図である。（実施例１）
【図２】本発明品を上面から見た図にコップ及び箸を置いた図である。（実施例２）
【図３】本発明品を側面から見た図にコップ及び箸を置いた図である。（実施例３）
【図４】本発明品を側面から見た図に皿を置いた図である。（実施例４）
【発明を実施するための形態】
【０００７】
形状は、風がより強い状況化で本発明品を複数枚重ねて使用できる様にする事、場所を取らずに重ねて保管できる事、コースターとして使用する時はコップ等の他に箸等のカトラリー等も一緒に固定できる事、皿やスナック菓子の袋等を載せる場合を考慮している事から、平面的である。
また、箸等のカトラリー等を固定する事を考慮して、箸等のカトラリー等がテーブル等に接地しない程度の厚みを持たせている。
材質は、テーブル等の上で滑らない様にする事を考慮してシリコンゴム、エラストマー、プラスチック等の滑りにくく、本発明品自体の重さにより風や不意の行動等の外部からの力によって移動しにくい程度の重さを有し、汚れても容易に洗える素材としている。
上面には粘着性を有する材料を配置する事により載せた物を固定する。
一般的なコースターはコースターからコップを持ち上げて使用し、コップとコースターが水分等で一体化しまうというという事は欠点であるが、本発明品は、上面に配置した粘着性を有する材料により、コップや皿を載せた場合は本発明品と一体物として使用する。
上面の粘着性を有する材料は、形状やサイズを特定せずに使用できる様に平面上に配置している。
上面の粘着性を有する材料は、主に円形の一般的な大きさのコップの底面の面積より大きくしており、コップと一緒に箸等のカトラリーも固定できる。
箸等のカトラリー等を固定する際は、本発明品の上面の粘着性を有する材料に軽く押し付けて固定する。
本発明品は、一般的な箸等のカトラリー等の長さより大幅に短い長さで構成されている事や、上面の粘着性を有する材料が比較的弱い粘着力である事から、本発明品と本発明品からはみ出した箸等のカトラリー等を上下方向に剥がす事により、軽い力で容易に取り外して箸等のカトラリー等を使用する事が出来る。
粘着性を有する材料は、上面を比較的弱い粘着力、下面を比較的強い粘着力という具合に粘着力に差を付ける事で、
上面の粘着性を有する材料が本発明品から外れずに載せた物が固定でき、重ねて使用および保管した際にも、容易に１つずつ分ける事ができる。
上面の粘着性を有する材料は、経済的な観点から水で洗えば粘着力が復活するシート上の材料を配置して本発明品と一体物とする事も、衛生的な観点から使い捨てる事が出来る両面に粘着性を有するシート上の材料を使用して新しいものと交換できる様にする事も可能である。
本発明品の色は単色もしくはデザインされた模様や絵柄等で構成する事で色、模様、絵柄等で見た目を区別できるだけでなく、本発明品の一部を切断する事により、色、模様、絵柄等と形状の組み合わせにより、より多くの種類にできる。
上記の条件を全て満たす事で実現した。
【実施例】
【０００８】
図１は、本発明品の実施例の立体図びコップと箸を乗せた図である。
本発明品１の上面に粘着性を有する材料２を配置している。
切断して本発明品の形状を変える事が出来る様に全体よりも薄い厚さにして切断しやすくする為の溝３を有している。
使用例として、本発明品の上に置いたコップ４と本発明品の上に置いた箸５を配置している。
【０００９】
図２は、本発明品の実施例の上面から見た図及びコップと箸を乗せた図である。
本発明品１の上面に粘着性を有する材料２を配置している。
切断して本発明品の形状を変える事が出来る様に全体よりも薄い厚さにして切断しやすくする為の溝３を有している。
使用例として、本発明品の上に置いたコップ４と本発明品の上に置いた箸５を配置している。
【００１０】
図３は、本発明品を側面から見た図及びコップと箸を乗せた図である。
本発明品１の上面に粘着性を有する材料２を配置している。
切断して本発明品の形状を変える事が出来る様に全体よりも薄い厚さにして切断しやすくする為の溝３を有している。
使用例として、本発明品の上に置いたコップ４と本発明品の上に置いた箸５を配置している。
【００１１】
図４は、本発明品を側面から見た図及び皿を乗せた図である。
本発明品１の上面に粘着性を有する材料２を配置している。
切断して本発明品の形状を変える事が出来る様に全体よりも薄い厚さにして切断しやすくする為の溝３を有している。
使用例として、本発明品の上に置いた皿６を配置している。
【産業上の利用可能性】
【００１２】
バーベキュー、キャンプ、オープンカフェ、ビアガーデン、パーティー等での使用が見込まれる。
【図１】
2015221116.tif 000003
【図２】
2015221116.tif 000004
【図３】
2015221116.tif 000005
【図４】
2015221116.tif 000006